(57)【要約】【課題】  工場内での情報の共有化を図り、生産効率を向上する。【解決手段】    工場内で液晶プロジェクタＰＲＪを用いて管理情報を大型表示する。スクリーンＳＣＲは、表示内容を活用する対象（保管庫であれば製品の保管状況）とを同時に視認可能な位置に設置する。設置場所に応じて、（１）保管庫での製品の保管指示および現状、（２）組立ラインから部品倉庫への部品要求および部品倉庫での部品発送状況などを表示する。スタッフルームには、工場全体の最上流工程（外部からの部品、資材の搬入状況）、最下流工程（出荷状況）を並列表示する。これらの表示により、工場内の状況を各部門の作業者および管理者がリアルタイムで正確に把握でき、作業の円滑化、生産効率の向上を図ることができる。【選択図】  図１
2004234681.tif 000002
【特許請求の範囲】
【請求項１】
工場の生産を管理する管理システムであって、
該工場における生産工程の上流の特定の工程の現状を随時入力するための上流工程用入力端末と、
製品の出荷状況を随時入力するための出荷用入力端末と、
前記入力された情報をそれぞれ記憶する記憶装置と、
前記記憶装置に記憶された前記上流の特定の工程の現状および出荷状況を、前記生産工程を管理する管理部門において、遅滞なく周知可能に並列表示する大型表示装置とを備える管理システム。
【請求項２】
前記特定の工程は、外部からの資材または部品の搬入工程である請求項１記載の管理システム。
【請求項３】
請求項１記載の管理システムであって、
前記記憶装置に記憶された前記上流の特定の工程の現状を、該工程に対応する部門において、遅滞なく周知可能に表示する大型表示装置を更に備える管理システム。
【請求項４】
請求項１記載の管理システムであって、
前記記憶装置に記憶された前記出荷状況を、該工程に対応する部門において、遅滞なく周知可能に表示する大型表示装置を更に備える管理システム。
【請求項５】
前記記憶装置は、インターネットに接続されたクライアントからの要求に応じて、記憶された情報をインターネット経由で該クライアントに提供可能なサーバである請求項１ないし請求項４いずれか記載の管理システム。
【請求項６】
工場の生産を管理する管理システムであって、
該工場は、製品を保管する製品保管エリア、製品の組立エリア、および該組立エリアに供給する材料または部品を保管する供給品保管エリアの少なくとも３つのエリアが、互いの状況を目視確認できない配置で備えられており、
少なくとも前記各エリアには、当該エリアの作業状況を入力する入力端末と、該入力に応じて作業状況を表示する大型表示装置とが備えられ、
更に、前記いずれかのエリアにおける作業状況に関する情報を、当該工場内に存在するいずれかの他のエリアに伝達するネットワークと、
該伝達された情報を当該エリアに表示する大型表示装置とを備える管理システム。
【請求項７】
前記他のエリアは、該工場の生産工程を管理する管理部門である請求項６記載の管理システム。
【請求項８】
請求項６記載の管理システムであって、
前記ネットワークで伝達される情報は、前記供給品保管エリアを除く２つのエリアの少なくとも一方の作業状況に関する情報であり、
前記他のエリアは、該伝達される情報が入力されるエリアよりも、上流工程に相当するいずれかのエリアである管理システム。
【請求項９】
請求項６記載の管理システムであって、
前記３つのエリアの一つにおける作業状況に関する情報は、前記ネットワークにより、他の２つのエリアの少なくとも一方に伝達され、
該情報の伝達を受けたエリアの大型表示装置は、当該エリアの情報と伝達された情報とを併せて表示する装置である管理システム。
【請求項１０】
前記大型表示装置は、投射型液晶表示装置である請求項１ないし請求項９いずれか記載の管理システム。
【請求項１１】
工場の生産を管理する管理方法であって、
該工場の生産工程を管理する管理部門に設置された大型表示装置に、前記生産工程のうち上流の特定の工程の現状と製品の出荷状況とを表示するステップと、
該上流の特定の工程の部門に設置された端末からの前記現状の入力、および製品倉庫に設置された端末からの前記出荷状況の入力に応じて、遅滞なく前記表示を更新するステップとを備える管理方法。
【請求項１２】
該工場は、製品を保管する製品保管エリア、製品の組立エリア、および該組立エリアに供給する材料または部品を保管する供給品保管エリアの少なくとも３つのエリアが、互いの状況を目視確認できない配置で備えられた工場の生産を管理する管理方法であって、
（ａ）  前記各エリアに設置された大型表示装置に、当該エリアの作業状況を適宜更新しつつ表示するステップと、
（ｂ）  前記各エリアの作業状況の少なくとも一つを、当該工場内に存在するいずれかの他のエリアに設置された大型表示装置に、適宜更新しつつ表示するステップとを備える管理方法。
【発明の詳細な説明】
【技術分野】
【０００１】
本発明は、大型表示装置を用いて、工場および倉庫の稼働状況を管理する方法に関する。
【背景技術】
【０００２】
工場および倉庫では、多数の作業員が広汎なエリア内で散在して作業することが多い。かかる状況下で、作業効率を向上するためには、作業計画、作業の現状、作業指示その他の情報を的確に相互伝達することが重要となる。伝達される情報に整合性があること、状況の変遷に遅滞なく最新の情報が得られること、多数の者が情報を共有できることが望ましい。これらの条件を満足する方法の一つとしては、コンピュータに接続された大型表示装置を用いてリアルタイムに情報を表示する方法がある。
【発明の開示】
【発明が解決しようとする課題】
【０００３】
従来、大型表示装置は、作業員が移動しなくても表示内容が確認できること、つまり表示内容の視認性のみに基づいて設置場所が決められていた。このため、作業員が作業をしながら表示内容を確認するのが容易でない場合があり、表示された情報が作業効率の向上に十分寄与していない場合があった。特に、移動を伴う作業に有効な表示位置については十分に検討されていなかった。
【０００４】
従来、工場内の大型表示装置に表示される情報は、管理目標値と現状値が主な内容であった。工場内では、生産性を向上するために、生産に携わる部門相互間の的確な情報伝達を図る必要がある。例えば、組立作業の進捗状況に合わせて、部品倉庫から組立ラインに部品を供給する場合などである。従来の表示内容では、大型表示装置の利点を、このような部門間の情報伝達に十分に活かすことができなかった。
【０００５】
工場内では、上述した部品の要求など、お互いに壁などで隔離された部門同士が密接に情報伝達する必要が生じる場合が多い。従来、こうした部門間の情報伝達は一部の担当者間で個別的に行われることが多く、それぞれの部門の関係者全員が、遅滞なく整合性のある情報を得ることが困難であった。こうした情報伝達の不備は、各部門での作業の円滑性を損ねることもあった。
【０００６】
工場では、生産を管理する管理部門が設けられているのが通常であるが、従来、かかる部門では大型表示装置を用いず、管理者ごとに用意されたコンピュータで生産ラインの現状等に関する情報を表示させ、生産管理を行っていた。この方法では、各管理者が実際に閲覧する情報は一部に限られており、多様な情報が生産管理に十分に活用されないことがあった。一方、管理者が利用する情報は多岐に亘るため、これらを全て大型表示装置で表示するのは非現実的、かつ非効率的となる。従来の管理システムには、管理部門における各管理者間での情報の共有という点で改善の余地があった。
【０００７】
本発明は、工場および倉庫において大型表示装置を用いて情報を共有することにより、作業性の向上を図ることを目的とする。
【課題を解決するための手段】
【０００８】
上記課題の少なくとも一部を解決するために、本発明では、第１の構成として、工場の生産または倉庫の物流を管理する管理システムにおいて、
所定の保管庫における物品の保管または出荷の少なくとも一方に関する指示および現状を随時入力するための入力端末と、
前記入力された指示および現状を記憶する記憶装置と、
該記憶装置に記憶された前記指示および現状を、前記保管庫内で遅滞なく周知可能に表示する大型表示装置とを備えるものとし、
該大型表示装置を、前記保管庫内での作業員の動線上のいずれかにおいて表示内容と前記保管された物品とを同時に視認し得る位置に設置した。指示としては、例えば保管場所、保管対象、保管数の作業計画が挙げられる。保管状況としては、例えばこれらについての現状が挙げられる。
【０００９】
入力端末とは、所定の管理情報を随時入力可能な端末であり、例えば汎用のコンピュータを用いることができる。「大型」とは、必ずしも設置部門の全員が表示内容を容易に閲覧できるサイズに限定されるものではなく、大半の者が閲覧できる程度のサイズであればよい。当然、表示装置の設置部門に応じてサイズは任意に設定可能である。
【００１０】
第１の構成によれば、保管または出荷の少なくとも一方に関する指示および現状を確認しながら、保管作業または出荷作業を行うことができる。従って、これらの作業を効率的に行うことができる。指示と現状が相違している場合に、管理者がその要因把握を容易に行うことができる利点もある。
【００１１】
作業に遅れが生じた場合、大型表示装置は、その遅れを周知させる役割も果たす。これは、作業員にとって作業の遅れを生じないよう努めるための動機付けとなるため、作業効率の向上を図ることができる。
【００１２】
第１の構成は、保管および出荷の双方の指示および現状を一つの大型表示装置でまとめて表示する態様、保管および出荷のいずれか一方の指示および現状を表示する態様、保管の指示および現状と出荷の指示および現状を個別の大型表示装置に表示する態様のいずれを採ってもよい。
【００１３】
第１の構成を、出荷先に応じて物品の保管レーンが複数用意された保管庫に適用する場合には、指示および現状を、その保管レーンに対応付けて表示することが望ましい。保管レーンが倉庫内の物流管理を行う際に最も重要な情報となるのが通常だからである。また、保管レーンは、保管作業、出荷作業に共通の情報であるため、これをキーとして情報表示することにより、両作業の情報を容易に対照できる利点もある。
【００１４】
表示内容は、種々設定可能であるが、
例えば、保管作業に関する情報としては、保管すべき物品の種類に関する指示、保管すべき数量に関する指示および現状を挙げることができる。保管作業における最も重要な情報に相当する。
【００１５】
出荷作業に関する情報としては、例えば、出荷すべき物品の出荷先に関する指示、出荷すべき数量に関する指示、出荷済みの数量に関する現状を挙げることができる。出荷作業における最も重要な情報に相当する。
【００１６】
保管作業に関する情報を表示する場合、大型表示装置は、前記保管庫内において物品の保管前に必要な所定の前処理を行う前処理エリアおよび前記保管庫への搬入口の少なくとも一方から視認し得る位置に設置することが、より好ましい。前処理とは、例えば製品の梱包処理、出荷する製品のシリアルナンバーの登録などが挙げられる。前処理エリアから視認可能に大型表示装置を設置すれば、前処理を行う待ち時間に作業内容および現状を確認でき、作業性を向上することができる。搬入口から視認可能に大型表示装置を設置すれば、保管庫に搬入した時点で作業内容および現状を確認できるため、その後の保管作業における無駄な動きをより抑制でき、作業性を向上することができる。
【００１７】
本発明は、第２の構成として、工場の生産を管理する管理システムにおいて、
前記工場内に、製品を生産する第１部門と、該生産に使用される部品または材料を供給する第２部門とが存在する場合において、
前記第１部門において、前記部品または材料の要求情報を随時入力するための第１入力端末と、
前記第２部門において、該要求された部品または材料の発送状況を入力するための第２入力端末と、
前記入力された情報をそれぞれ記憶する記憶装置と、
前記記憶装置に記憶された前記要求情報および発送状況を、前記第１部門および第２部門の少なくとも一方において遅滞なく周知可能に表示する大型表示装置とを備えるものとした。
【００１８】
かかる構成によれば、大型表示装置が設けられた部門の作業員が、部品等の要求情報、発送状況に関する情報を共有できる。要求情報と発送状況とを併せて表示することにより、２つの部門間での部品または材料の供給に関する状況を的確に把握できる。この結果、表示された情報に基づき、部品または材料の発送作業や製品の生産を調整することができ、生産効率を向上することができる。
【００１９】
第２の構成は、第１部門と第２部門とは、一方が他方の作業状況を目視確認することが困難な配置で設けられている場合に有効性が高く、この場合には、前記大型表示装置は、前記目視確認が困難な一方の部門に設置されることが望ましい。双方の部門が互いに目視確認することが困難な位置としては、２つの部門が壁その他の障害物で仕切られている場合、２つの部門が別の建屋に存在する場合が挙げられる。かかる場合には、双方の部門にそれぞれ大型表示装置が設けられていることが望ましい。「一方の部門」のみが「他方の部門」を目視確認することが困難な配置としては、例えば、作業員が一方向を見て作業することが前提となっている「一方の部門」の背後に「他方の部門」を配置した場合が挙げられる。「他方の部門」の作業員は前方に配置された「一方の部門」の様子を容易に目視確認することができるが、その逆は困難である。かかる場合には、「一方の部門」側に大型表示装置を設けることにより、互いに状況を把握しやすくなる。もちろん、併せて背後に配置された「他方の部門」にも大型表示装置を設けても構わない。
【００２０】
第２の構成を、第１部門には、製品を生産するラインが複数用意されている工場に適用する場合には、大型表示装置は、前記要求情報および発送情報を、該ラインに対応付けて表示することが望ましい。ラインが生産を管理する重要かつ最小の単位となるからである。
【００２１】
第３の構成として、工場の生産を管理する管理システムにおいて、
該工場における生産工程の上流の特定の工程の現状を随時入力するための上流工程用入力端末と、
製品の出荷状況を随時入力するための出荷用入力端末と、
前記入力された情報をそれぞれ記憶する記憶装置と、
前記記憶装置に記憶された前記上流の特定の工程の現状および出荷状況を、前記生産工程を管理する管理部門において、遅滞なく周知可能に並列表示する大型表示装置とを備えるものとした。
【００２２】
工場の生産管理の最終的な目標は、最下流工程である工場からの出荷を計画通りに行うことである。出荷状況に関する情報は、生産管理上、最も重要な情報と言える。一方、出荷工程は、当然、上流の工程の状況と密接に関連する。進捗状況の遅れを他の工程で取り返すことが望めない工程など、出荷状況に重大な影響を与える工程は、特定の数工程に絞られる。例えば、最も深刻な影響を与え得るのは最上流工程である外部からの資材、部品の調達工程が相当する。他社から資材や部品が供給されなければ、生産ラインをいかに改変しようとも計画通りの出荷が実現できないからである。上記構成によれば、管理部門において、これらの重要情報を管理者全員がリアルタイムで共有することができる。従って、生産計画の変更など状況に応じた柔軟な対処を速やかに行うことができる。この結果、出荷の極端な遅れ、生産ラインの停止などを回避でき、工場を効率的に稼働することができる。最もシンプルな態様として、最上流工程の現状と出荷状況に関する情報の２種類を並列表示する態様を採ることも好適である。
【００２３】
第３の構成においては、更に、前記上流の特定の工程の現状表示用の大型表示装置や前記出荷状況表示用の大型表示装置を、それぞれの現場に備えるものとしてもよい。いずれか一方の大型表示装置のみを備えても良いし、双方を備えても良い。こうすることにより、現場の作業者も状況を的確に把握できる。従って、各現場で主体的に状況の改善を図ることができる。
【００２４】
第３の構成においては、上記２つの情報以外に主要な中間工程の情報を併せて表示するものとしてもよい。一例として、組立ラインでの組立状況を併せて表示してもよい。中間工程の情報も表示することにより、現状の把握、状況に応じた生産計画の変更を、容易に行うことができる。
【００２５】
本発明において、記憶装置は、インターネットに接続されたクライアントからの要求に応じて、記憶された情報をインターネット経由で該クライアントに提供可能なサーバとすることができる。クライアントにブラウザその他の情報閲覧ソフトウェアがインストールすることにより、記憶装置の情報を、離れた場所で容易に閲覧することが可能となる。例えば、海外の工場の生産状況を容易に把握することができるようになる。この結果、互いに離れた部署同士の情報共有を容易に行うことができる。しかも、クライアントは汎用のコンピュータを適用でき、かかる共有を安価に実現できる利点もある。
【００２６】
本発明は、第４の構成として、製品を保管する製品保管エリア、製品の組立エリア、および該組立エリアに供給する材料または部品を保管する供給品保管エリアの少なくとも３つのエリアが、互いの状況を目視確認できない配置で備えられている工場の生産を管理する管理システムにおいて、
少なくとも前記各エリアには、当該エリアの作業状況を入力する入力端末と、該入力に応じて作業状況を表示する大型表示装置とが備えられ、
更に、前記いずれかのエリアにおける作業状況に関する情報を、当該工場内に存在するいずれかの他のエリアに伝達するネットワークと、
該伝達された情報を当該エリアに表示する大型表示装置とを備えるものとした。伝達され表示される情報は、上記エリアで入力された情報自体であってもよいし、入力端末で何らかの処理をされた結果であってもよい。
【００２７】
上記各エリアにおいて個別に大型表示装置による情報の共有を図りつつ、重要な情報は、工場内の他のエリアでも共有することができる構成である。組立エリアは、製品の主組立に限定されない。部品のサブ組立を含め、組立エリアが複数に分かれている場合には、これらのうち少なくとも一カ所のエリアに入力端末、大型表示装置が設けられていればよい。もちろん、全体の生産性に与える影響が最も大きいエリアに設けることが好ましい。
【００２８】
他のエリアとは、上述の３つのエリア内に限られない。例えば、他のエリアは、該工場の生産工程を管理する管理部門としてもよい。第３の構成で説明した通り、工場内の重要な情報を管理部門で併せて表示することにより、状況に速やかに対応して生産を管理することができる。
【００２９】
また、他のエリアは、該伝達される作業状況に対応したエリアよりも、上流工程に相当するいずれかのエリアとすることもできる。下流工程の作業状況を上流工程に表示することにより、工場全体の生産をより円滑に行うことができる。例えば、ある種の製品の出荷が滞っている、即ち、出荷数だけそろっているにも関わらず何らかの事情で出荷されていない状況を考える。製品保管エリアからの情報として、かかる状況が組立エリア等の上流工程に表示されれば、上流工程の各エリアでは、出荷計画の変更に応じた生産計画の変更指示を見越して予め準備しておくことができる。また、生産計画の変更指示に混乱なく対応することができる。このように上流工程への情報の表示は、状況の変化に応じて上流工程が速やかかつ円滑に対応可能となり、生産の柔軟性を高めることができる。
【００３０】
上流工程で情報を表示する場合、伝達される情報からは、最上流工程に相当する供給品保管エリアで入力された情報は除かれ、残る２つのエリアの少なくとも一方における作業状況に関する情報が伝達されることになる。上流工程に相当するエリアは、上述の３つのエリア内に限られない。例えば、製品組立の上流工程として、部品または資材の供給の他に、部品の加工、サブ組立などの工程が存在する場合には、組立エリアの状況をこれらの工程に表示するものとしてもよい。
【００３１】
第４の構成において、伝達された情報は、個別に用意された大型表示装置で表示するものとしてもよいが、各エリアの現状を表示する大型表示装置が用意されているエリアに情報が伝達される場合には、該情報の伝達を受けたエリアの大型表示装置は、当該エリアの情報と伝達された情報とを併せて表示するものとしてもよい。例えば、上述の３つのエリアの一つにおける作業状況に関する情報が、他の２つのエリアの少なくとも一方に伝達される場合が相当する。もちろん、個別に表示するものとしても構わない。
【００３２】
伝達された情報の表示は、必ずしもその情報が入力されたエリアにおける表示と同一である必要はない。入力されたエリアにおける情報の一部を抽出して表示してもよい。
【００３３】
本発明の大型表示装置としては、例えば、投射型液晶表示装置を適用することができる。比較的安い費用で表示装置を設置可能であり、表示画面のサイズを柔軟に調整できる利点もある。汎用コンピュータの表示画面をそのまま表示できるため、表示内容を柔軟に変更できる利点もある。大型表示装置は、これに限らず、電光表示板、ディスプレイ、その他の装置を適用可能である。光を利用して情報を表示する装置のみならず多数の表示板を機械的に駆動して表示内容を切り替えるディジタル表示板を適用してもよい。
【００３４】
本発明は、上述の各システムの他、部品の配給管理システム、倉庫の物流管理システムなど管理システムより限定的な種々の態様で構成可能である。本発明は、これらの管理システムが実現する管理方法として構成することもできる。
【００３５】
また、これらの管理システムがコンピュータを用いて構築されている場合には、本発明は、その機能を実現するためのプログラム、プログラムと同視し得る種々の信号、プログラムをコンピュータ読みとり可能に記録した記録媒体などの態様で構成することも可能である。記録媒体としては、フレキシブルディスクやＣＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置などコンピュータが読み取り可能な種々の媒体を利用できる。
【発明を実施するための最良の形態】
【００３６】
本発明の実施の形態について、以下の項目に分けて説明する。
Ａ．第１実施例  保管庫への適用例：
Ａ１．変形例  表示の変形例：
Ｂ．第２実施例  部品配給への適用例：
Ｃ．第３実施例  管理部門への適用例：
Ｃ１．変形例  情報共有の変形例：
Ｄ．第４実施例  上流工程への情報提供例：
【００３７】
Ａ．第１実施例  保管庫への適用例：
図１は第１実施例としての管理システムの構成を示す説明図である。工場内で生産された製品を保管する保管庫に適用した場合を例示した。工場以外の倉庫に適用してもよい。
【００３８】
パレットＰＬＴ１に載せられた製品は、搬入作業者ＷＫ１により、搬入口から保管庫内に搬入される。搬入作業者ＷＫ１は、予め計画された通り、製品の種類に応じてレーン１〜８のいずれかにパレットＰＬＴ１を配置する。レーン１〜８は、それぞれ８個の出荷用コンテナに対応している。計画された数の製品の用意が完了したレーンについては、搬出作業者ＷＫ２が、そのレーンに配置されているパレットＰＬＴ２を搬出口Ａまたは搬出口Ｂから搬出する。各搬出口には、コンテナを搭載したトラックが待機している。パレットＰＬＴ２は、各レーンに対応したコンテナに搭載され、出荷される。
【００３９】
第１実施例の管理システムは、保管庫において、搬入作業者ＷＫ１および搬出作業者ＷＫ２が行う作業を管理するシステムである。管理システムは、コンピュータＰＣと液晶プロジェクタＰＲＪ、スクリーンＳＣＲから構成される。液晶プロジェクタＰＲＪは、コンピュータＰＣのディスプレイに表示された画面と同じ映像を、スクリーンＳＣＲに投射表示する。
【００４０】
コンピュータＰＣは、汎用のパーソナルコンピュータを適用できる。コンピュータＰＣは、保管庫における搬入、搬出作業の計画および現状の入力端末、これらの情報を記憶する記憶装置、液晶プロジェクタＰＲＪの表示を制御する制御装置としての役割を果たす。
【００４１】
表示用のスクリーンＳＣＲは搬入作業者ＷＫ１、搬出作業者ＷＫ２の作業中の視認性を考慮して設置されている。つまり、次に示すように、スクリーンＳＣＲは、搬入作業者ＷＫ１、搬出作業者ＷＫ２が、表示画面とレーンとを同時に視認できる位置に設置されている。
【００４２】
搬入作業者ＷＫ１は、図中に矢印で示すように搬入口から保管庫に入り、保管庫内の通路を各レーンまで移動する動線を描く。搬入作業者ＷＫ１は、図中の矢印ＬＯＳ１に示す通り、この動線上でスクリーンＳＣＲの表示内容を見ることができる。この際、表示内容と同時に各レーンへの製品の保管状況も視認することができる。搬出作業者ＷＫ２は、レーン１〜８と搬出口Ａ，Ｂとを結ぶ動線を描く。搬出作業者ＷＫ２は、図中の矢印ＬＯＳ２に示す通り、この動線上でスクリーンＳＣＲの表示内容を見ることができる。この際、各レーン１〜８の出荷状況も確認することができる。
【００４３】
スクリーンＳＣＲについて、上述の視認性を確保できる設置位置は、種々考えられる。第１実施例では、その一例として、各動線上の所定の位置とレーンとを結んだ延長上にスクリーンＳＣＲを設置した。また、保管庫に保管された製品が視認性を妨げないよう、スクリーンＳＣＲは製品よりも十分に高い位置に設置した。スクリーンＳＣＲのサイズは、保管庫の広さを考慮して各作業者が十分に表示内容を認識できる程度のサイズとすればよい。
【００４４】
図２は液晶プロジェクタによる表示画面の内容を例示する説明図である。搬入、搬出作業の計画および現状が表示される。レーン、製品コード、出荷予定、出荷数、現在数、車番号、到着予定、到着時刻、パレット数、完了数、出荷状況が表示されるものとした。「レーン」は、保管庫内のレーン番号（本実施例では１〜８）である。「製品コード」は、各レーンに配置されるべき製品のコード番号である。「出荷予定」は、出荷予定時刻である。「出荷数」は、出荷する製品数である。「現在数」は、保管庫への保管が完了した製品数である。「車番号」は、出荷時にコンテナを搭載するトラックのコード番号である。「到着予定」は、出荷用のトラックの到着予定時刻であり、「到着時刻」は実際の到着時刻である。「パレット数」は、トラックに搭載されるパレット数である。パレット数は、出荷数をパレット単位に換算した値である。「完了数」は、トラックへの搭載が完了したパレット数である。「出荷状況」は出荷作業の進捗状況である。
【００４５】
図２の例では、レーン２には製品コード「ＡＡＡ」の製品が配置されることになっている。出荷する製品数は９６６個であり、現在数が９６６個であるから、その生産は既に完了している。トラックは９時３０分に到着しており、搭載すべきパレット２０個のうち１８個の搭載が完了したところである。つまり、出荷状況は「搭載中」である。レーン６およびレーン１は製品の生産中であり、レーン３およびレーン８は既に出荷が完了していることが示されている。
【００４６】
レーン、製品コード、出荷予定、出荷数が保管庫での搬入作業の計画または指示に相当する情報であり、現在数が搬入作業の現状に相当する情報である。レーン、製品コード、到着予定、到着時刻、パレット数が搬出作業の計画または指示に相当する情報であり、完了数、出荷状況が現状に相当する情報である。扱われる情報は、これらに限らず管理の目的に応じて任意に設定可能である。
【００４７】
計画または指示に相当する情報は、管理者によって予めコンピュータＰＣに入力されている。現状に関する情報は、作業の進捗状況に応じて管理者または作業者によってコンピュータＰＣに入力され、随時更新される。これらの情報は、コンピュータＰＣとネットワークで接続された他のコンピュータから入力するものとしてもよい。
【００４８】
情報の更新を伴う搬入、搬出作業の工程を示す。図３は倉庫内への搬入工程の工程図である。搬入作業者ＷＫ１は、製品を保管庫に搬入する際に、製品番号とパレットとの対応関係の入力を行う（ステップＳ２）。パレットには複数の製品がまとめて梱包されるから、各パレットに付された識別番号と、梱包された製品のシリアルナンバーとを対応付ける。この作業は、製品をパレットに梱包した時点で行ってもよいし、搬入時に行っても良い。入力方法は、パレットの識別番号、製品のシリアルナンバーを手入力してもよいし、バーコードリーダなどで読み取るものとしても良い。製品のシリアルナンバーは、梱包された製品数に応じて入力されるから、この入力は搬入された製品数の入力も兼ねている。こうして入力された情報は、搬入作業の現状を示す情報の一つとしてコンピュータＰＣに記憶される。
【００４９】
搬入作業者ＷＫ１は、次にスクリーンＳＣＲの表示により各レーンの保管状況を確認する（ステップＳ４）。レーン、製品コード、出荷数、現在数を見れば、搬送中のパレットをどのレーンに配置すべきかを容易に認識することができる。配置先のレーンの保管状況も同時に視認することができるため、自己の認識が正しいか否かを瞬時に視覚的に確認できる。例えば、製品コードを見落とし、出荷数と現在数のみから配置先レーンを誤判断した場合、配置先レーンに保管された製品の包装箱と搬送中の製品の包装箱が相違するため、直ちに誤りに気づくことができる。数量についても経験的に養われた量的な感覚に基づき、自己の認識の正否を容易に判断することができる。誤判断に気づいた場合には、表示を再度確認することにより、容易に認識を改めることができる。情報は、大型のスクリーンＳＣＲに表示されているため、製品の搬送作業をしながらこれらの確認を行うことができる。情報が、コンピュータＰＣのディスプレイ上にのみ表示されている場合に比較して、作業効率を向上することができる。
【００５０】
こうして配置先のレーンが確認されると、搬入作業者ＷＫ１は、パレットを移動するとともに、移動先のレーン番号をコンピュータＰＣに入力する（ステップＳ６）。入力は搬入作業者ＷＫ１自身が行っても良いし、専任の管理者が行っても良い。入力されたレーン番号は、搬入作業の現状を示す情報の一つとしてコンピュータＰＣに記憶される。各レーンにセンサを設け、移動先が自動的に入力されるシステムを用いてもよい。パレットのサイズは一定であるから、光センサその他パレットの有無を検出できるセンサを各レーンに一定間隔で配置し、検出信号をコンピュータＰＣに伝達するよう配線することにより、自動入力システムを容易に構築することができる。パレットと配置されたレーンとの対応付けを厳密に行うために、パレットまたは製品に付されたバーコードその他の識別情報を自動的に読みとるセンサを各レーンに設けるものとしてもよい。コンピュータＰＣは、入力された移動先の情報と、先に入力された製品番号とに基づいて、どのレーンに新たに何個の製品が搬入されたかを判断することができる。この判断に基づいてコンピュータＰＣは、表示画面の「現在数」表示を更新する。搬入作業に伴って、搬入作業者等が「現在数」を直接入力するものとしてもよい。
【００５１】
搬出作業の情報更新は次の工程で行われる。図４は保管庫からの搬出工程の工程図である。搬出作業者ＷＫ２は、スクリーンＳＣＲの表示により出荷状況を確認する（ステップＳ１２）。レーン、到着時刻、パレット数、完了数を見れば、どのレーンの製品をトラックに積み込むべきかが容易に判断できる。各レーンの出荷状況も同時に視認できるため、搬入作業と同様、自己の認識の正否を視覚的に判断することができる。
【００５２】
この認識に基づいて、搬出作業者ＷＫ２は、パレットを移動する（ステップＳ１４）とともに、どのレーンからどのトラックにパレットを移動したかという情報をコンピュータＰＣに入力する（ステップＳ１６）。搬出作業者ＷＫ２自身が入力してもよいし、管理者が入力してもよい。各レーンに設けられたセンサによりパレットの搬出を自動的に検出するようにしてもよい。図１では搬入口付近にコンピュータＰＣが設置されているが、搬出時の情報入力の便宜も図り、搬入口、搬出口の中間に設置してもよい。搬入作業の情報を入力するコンピュータと、搬出作業の情報を入力するコンピュータとを別々に備え、ネットワークで接続して情報を共有するようにしてもよい。
【００５３】
以上で説明した第１実施例の管理システムによれば、液晶プロジェクタＰＲＪで情報を大型表示することにより、作業をしながら表示内容を確認できる。表示とレーンとを同時に視認できるため、表示内容の認識の正否を瞬時に視覚的に判断できる。従って、作業を円滑かつ効率的に進めることができる。
【００５４】
情報の大型表示により、保管庫内で作業員がリアルタイムに容易に情報の共有化を図ることができる。搬入作業および搬出作業を複数人で行う場合、各人が作業指示および現状を的確に把握でき、自立的に作業を進めることができる。
【００５５】
大型表示は、コンピュータＰＣのディスプレイ上にのみ情報を表示する場合と異なり、作業の遅延およびその原因を周知させやすい。これは、作業遅延の原因となった作業者にとっては不名誉である。大型表示は、こうした心理作用によって、各作業員が遅延なく作業を進める一つの動機付けとなる。かかる作用により、大型表示は保管庫での作業効率の向上に寄与する。
【００５６】
保管作業時には、搬入工程で説明した通り、保管前に製品番号の入力などの前処理が行われる。第１実施例において、スクリーンＳＣＲの位置は、この前処理中に作業者が表示内容とレーンとを同時に視認できるよう設置することが好ましい。こうすれば、前処理が完了するまでの待ち時間に作業者が保管指示および状況を確認することができ、作業効率を一層向上することができる。
【００５７】
Ａ１．表示の変形例：
第１実施例の管理システムにおいて、情報の表示位置は、種々の変形例が適用可能である。図５は第１変形例としての管理システムの構成を示す説明図である。ここでは、搬入作業者ＷＫ１がより活用しやすい表示位置に液晶プロジェクタＰＲＪ１およびスクリーンＳＣＲ１を設けた場合を例示した。図示する通り、搬入口の正面にスクリーンＳＣＲ１を設ける。図の例では、搬入口と搬出口とが対向した位置に存在するため、スクリーンＳＣＲ１は搬出口Ａ，搬出口Ｂの上方に設置される。この位置であれば、搬入作業者ＷＫ１は、搬入口から保管庫に入る際に、図中の矢印ＬＯＳ３に示す通り、表示内容を確認でき、しかも、各レーンの保管状況も同時に視認することができる。
【００５８】
スクリーンの設置位置は、壁面に限られない。図６は第２変形例としての管理システムの構成を示す説明図である。図示するようにスクリーンＳＣＲ２および液晶プロジェクタＰＲＪ２をつり下げて表示してもよい。ここでは、搬入口の正面にスクリーンＳＣＲ２を設置する場合を例示した。第２変形例では、スクリーンＳＣＲ２の位置が搬入作業者ＷＫ１の動線に近くなるため、搬入作業者ＷＫ１が表示を確認しやすくなる利点がある。
【００５９】
第１および第２変形例では、搬出作業者ＷＫ２にとっては、表示された情報を確認しづらいため、搬出作業者ＷＫ２用の表示を別途設けることが望ましい。かかる場合、搬入作業者ＷＫ１向けと搬出作業者ＷＫ２向けで異なる情報を表示してもよい。つまり、各作業に関連した計画または指示および現状のみを表示するものとしてもよい。搬入作業者向けと搬出作業者向けの表示を分ける場合、必ずしも双方を備える必要はなく、大型表示による利点を考慮して、いずれか一方のみを備えるものとしても構わない。
【００６０】
Ｂ．第２実施例  部品配給への適用例：
図７は第２実施例としての管理システムの構成を示す説明図である。工場の平面図を示した。第２実施例では、工場の部品倉庫Ａ１と組立エリアＡ２との間の情報伝達に大型表示を適用した例を示す。
【００６１】
図示する工場には、部品倉庫Ａ１と組立エリアＡ２という２つのエリアが設けられている。両エリアは、通路を隔てて配置されており、それぞれのエリアから他方のエリアの状況を目視で確認するのが困難となっている。組立エリアＡ２には、複数の組立ラインＬ１，Ｌ２等が設けられており、各ラインごとに特定の機種の製品を生産している。組立エリアＡ２には、各ラインに部品を配給するための配給作業者がおり、この作業者は部品の消費具合を監視して必要に応じて部品倉庫Ａ１に部品の配給を要求する。
【００６２】
部品倉庫Ａ１には、組立エリアＡ２で生産される各機種に対応した部品が保管されている。部品の生産を併せて行うものとしてもよい。部品倉庫Ａ１には、部品を配給するための作業者がおり、組立エリアＡ２からの要求に応じて部品を配給する。要求された部品は、無人搬送車ＡＧＶに載せられ、組立エリアＡ２に配送される。組立エリアＡ２では、配給作業者がこの部品を受け取り、各組立ラインに配給する。
【００６３】
第２実施例の管理システムは、上述の作業において、部品倉庫Ａ１と組立エリアＡ２との間の情報伝達を担う。管理システムとして、部品倉庫Ａ１には、管理システムとして、コンピュータＰＣ１０、液晶プロジェクタＰＲＪ１０、スクリーンＳＣＲ１０が備えられている。組立エリアＡ２には、コンピュータＰＣ１１、液晶プロジェクタＰＲＪ１１、スクリーンＳＣＲ１１が備えられている。コンピュータＰＣ１０，ＰＣ１１は、それぞれ部品の要求情報、配送情報を入力する入力端末、これらの情報を記憶する記憶装置、液晶プロジェクタＰＲＪ１０，ＰＲＪ１１の表示を制御する制御装置としての役割を果たす。コンピュータＰＣ１０，ＰＣ１１はネットワークで接続されており、両者で情報を共有できる。
【００６４】
組立エリアＡ２の配給作業者が、部品の要求をコンピュータＰＣ１１に入力すると、要求情報はネットワークを介して部品倉庫Ａ１のコンピュータＰＣ１０に伝達される。要求情報は、液晶プロジェクタＰＲＪ１０によりスクリーンＳＣＲ１０に表示される。部品倉庫Ａ１の作業者が、要求された部品を無人搬送車ＡＧＶに載せて配送した旨の情報をコンピュータＰＣ１０に入力すると、その配送情報はコンピュータ１１に伝達される。配送情報は、液晶プロジェクタＰＲＪ１１によりスクリーンＳＣＲ１１に表示される。
【００６５】
図８は第２実施例における表示内容を示す説明図である。上述の通り、部品の要求情報と配送状況とが表示される。本実施例では、組立エリアＡ２、部品倉庫Ａ１ともに両者の情報を並列的に表示するものとした。組立エリアＡ２には部品配送状況のみ、部品倉庫Ａ１には部品要求情報のみを表示するものとしてもよい。
【００６６】
部品要求情報としては、ライン番号、機種名、部品番号、部品名、日付、時間、数量が表示される。「ライン番号」は部品を要求している組立ラインの番号である。「機種名」はそのラインで製造している製品の種類である。「部品番号」は要求された部品のコードである。「部品名」は要求された部品の名称である。「日付」および「時間」は、部品が要求された日時である。「数量」は要求された数量である。部品要求情報は、これらに限らず部品倉庫Ａ１での作業に必要となる任意の情報を設定可能である。
【００６７】
部品配送状況を表す情報としては、部品番号、部品名、数量、発送先、日付、時間が表示される。部品番号、部品名、数量は、それぞれ部品要求情報と同じ意味である。「発送先」は、部品要求情報の「ライン番号」に対応し、どの組立ライン宛に部品を発送したかを示す。「日付」および「時間」は、それぞれ部品の発送日時である。部品配送状況も、これらに限らず任意の情報を設定可能である。
【００６８】
第２実施例の管理システムによれば、部品倉庫Ａ１と組立エリアＡ２との情報伝達を円滑に行うことができ、生産効率を向上することができる。部品倉庫Ａ１では、部品要求情報、部品配送状況が大型表示されることにより、作業員がどの位置にいても表示内容を容易に確認でき、配送すべき部品をリアルタイムに容易かつ的確に把握することができ、部品の配送を効率的に行うことができる。表示内容と保管された部品とを同時に視認できる位置にスクリーンＳＣＲ１０を設置すれば、第１実施例で説明したのと同様の作用により、更に作業効率を向上することができる。複数の作業員で配送作業を行う際に、各作業員が部品の要求情報および配送状況を的確に把握でき、自立的に作業することができる利点もある。第１実施例で説明したのと同様の心理的作用により、遅延を生じないように作業を進める動機付けともなる。
【００６９】
組立エリアＡ２では、大型表示により、要求した部品の配送状況をリアルタイムに容易かつ的確に把握することができる。配給作業者は、部品の配送状況に応じて早めに部品を要求するなどの調整を行うことができる。大型表示は、作業者がどの位置にいても表示内容を確認できるため、作業者にとっても部品の要求および配送状況を容易に把握でき、作業の円滑性を向上できる利点がある。組立ラインの各作業者および管理者は、生産計画を調整することができる。これらの調整を柔軟に行うことにより、生産効率を向上することができる。
【００７０】
このように工場内の部門間の情報伝達に大型表示を利用することにより、複数の部門間で多くの作業員および管理者が互いの状況を的確に把握でき、それぞれの作業の円滑化を図ることができる。
【００７１】
第２実施例は、３つ以上の部門間での情報伝達を行う態様としてもよい。部品倉庫Ａ１、組立エリアＡ２の大型表示は、必ずしも双方を備える必要はなく、情報の共有による有効性を考慮して、いずれか一方のみを備えるものとしてもよい。第２実施例は、通路を挟んで配置された複数のエリアのみならず、一方が他方の状況を目視確認することが困難な種々のエリア間に適用可能である。壁等で仕切られていない複数のエリア間であっても、両者の距離が広い場合など、目視確認が困難な場合には適用可能である。
【００７２】
Ｃ．第３実施例  管理部門への適用例：
図９は第３実施例としての管理システムの構成を示す説明図である。工場内の配置を模式的に示した。第３実施例では、工場の生産現場、つまり部品倉庫Ａ１１、組立ラインＡ１２、完成品倉庫Ａ１３と、管理部門ＳＲとの間の情報伝達への適用例を示す。
【００７３】
工場の生産現場では、部品倉庫Ａ１１に部品が搬入され、組立ライン１２で組み立てられる。生産された製品は、完成品倉庫Ａ１３に保管され、所定の数量になると出荷される。従って、部品倉庫Ａ１１への搬入は、工場内での生産の上流の特定の工程となり、完成品倉庫Ａ１３からの出荷は最下流工程となる。組立ラインは、両者の中間の工程である。なお、工場に資材が搬入され、工場内で部品を生産する場合もある。かかる場合には、資材の搬入が上流の特定の工程となる。
【００７４】
生産現場の各部門には、それぞれコンピュータＰＣ２１，ＰＣ２２，ＰＣ２３が設置されている。これらのコンピュータは、各部門における現状を入力する入力端末としての役割を果たす。部品倉庫Ａ１１のコンピュータＰＣ２１には部品の在庫状況、組立ラインＡ１２のコンピュータＰＣ２２には組立状況、完成品倉庫Ａ１３のコンピュータＰＣ２３には出荷状況が入力される。各コンピュータは、工場内のローカル・エリア・ネットワークＮＥに接続されており、同じくネットワークに接続されたサーバＳＶに上記情報をそれぞれ送信できる。
【００７５】
管理部門ＳＲは、工場全体の生産管理をする管理者が集まるスタッフルームである。図９に模式的に示す通り、管理部門ＳＲは生産現場とは別のフロアまたは建物に設けられている。管理部門ＳＲには、３台のコンピュータＰＣ３１，ＰＣ３２，ＰＣ３３、液晶プロジェクタＰＲＪ３１，ＰＲＪ３２，ＰＲＪ３３、およびスクリーンＳＣＲ３１，ＳＣＲ３２，ＳＣＲ３３が設けられている。各コンピュータはネットワークＮＥに接続されている。各コンピュータは、サーバＳＶから情報を入力し、それぞれの液晶プロジェクタで表示させる機能を果たす。コンピュータＰＣ３１、液晶プロジェクタＰＲＪ３１、スクリーンＳＣＲ３１は部品在庫状況の表示に使用される。コンピュータＰＣ３２、液晶プロジェクタＰＲＪ３２、スクリーンＳＣＲ３２は組立状況の表示に使用される。コンピュータＰＣ３３、液晶プロジェクタＰＲＪ３３、スクリーンＳＣＲ３３は出荷状況の表示に使用される。管理部門ＳＲでは、図示する通り、３種類の情報が工程順に並列表示される。
【００７６】
図１０は部品在庫状況の表示内容を示す説明図である。ここでは、特に部品の不足状況に特化して表示するものとした。表示内容としては、機種名、部品番号、部品名、供給会社、要求先、要求日、要求時間、状況、納品予定が挙げられる。「機種名」は部品の不足が生じている生産機種である。「部品番号」および「部品名」は不足している部品のコードおよびその名称である。「供給会社」はその部品を供給している会社名である。「要求先」はその部品を要求している部門、例えば組立ラインの番号である。「要求日」および「要求時間」はその部品の配給が要求された日時である。「状況」は不足部品への対応状況である。例えば、供給会社に発注が完了した状態、供給会社からの連絡があり納品待ちの状態などの状況が表示される。「納品予定」は供給会社からの納品予定日時である。在庫状況の表示内容は、これらに限らず管理目的に応じて任意に設定可能である。
【００７７】
図１１は組立状況の表示内容を示す説明図である。組立状況としては、累計実績と本日の実績がグラフで表示される。累計実績は、機種毎に生産数の計画値と実績値とが帯グラフ形式で表示される。例えば、生産数が週単位で計画されている場合には、週単位の計画値および累計の生産実績となる。本日の実績は、時間に応じた生産数の推移および計画値が折れ線グラフの形式で表示される。表示内容は、これらに限らず管理目的に応じて任意に設定可能である。組立状況は、グラフ形式に限らず表形式で表示してもよい。こうした表示は、組立ラインごとに設けたり、組立ラインの工程ごとに設けたりしてもよい。また、各ラインでの不具合の発生率など、品質に関連する情報を表示するものとしてもよい。
【００７８】
図１２は出荷状況の表示内容を示す説明図である。出荷状況としては、ゲート、機種名、数量、仕向地、および出荷作業の進捗状況が表示される。「ゲート」は、搬出口の番号である。「機種名」、「数量」は出荷すべき機種および数量である。「仕向地」は出荷先である。進捗状況は、製品準備、梱包、必要書類の準備、出荷手続、出荷の欄に分かれており、各作業が終了すると、マスが塗りつぶされる。出荷作業の詳細な進捗状況を視覚的に把握するための表示である。表示内容および形式は、これらに限らず管理目的に応じて任意に設定可能である。
【００７９】
サーバＳＶは、これらの管理情報をＨＴＭＬ形式で提供する。サーバＳＶはインターネットＩＮＴに接続されており、同じくインターネットに接続された任意のコンピュータＰＣ４１からのＵＲＬ（Uniform Resource Locator）に応じて管理情報をＨＴＭＬで提供するＷｅｂサーバとしての機能も果たす。但し、セキュリティのため、アクセスには所定のパスワードが要求される。コンピュータＰＣ４１では、ブラウザにより管理情報を閲覧することができる。インターネットを介したアクセスであるため、コンピュータＰＣ４１は工場内に設置されている必要はなく、国境ＢＤＲを越えて設置されていてもよい。この機能により、工場の稼働状況を海外の部門も含め、工場外からリアルタイムに把握することができる。一例として、コンピュータＰＣ４１を部品の供給会社に設置すれば、供給会社が部品の消費状況を容易に把握でき、供給不足を回避することができる。しかも、低コストでこうした情報の共有化を図ることができる。インターネットＩＮＴを介した情報提供は、先に説明した第１実施例、第２実施例にも適用可能である。各実施例の構成でサーバＳＶを設けるか、各情報を記憶するコンピュータにサーバＳＶの機能を果たさせればよい。
【００８０】
第３実施例の管理システムによれば、生産現場の現状を管理部門ＳＲでリアルタイムに容易かつ的確に把握することができる。また管理部門ＳＲの管理者全員がこれらの情報を共有することができる。生産管理の究極の目的は最下流工程である工場からの出荷を、計画通りに行うことである。そして、生産に最も影響を与えるのは、最上流の工程である外部からの部品の搬入である。ここで、管理部門ＳＲの複数の管理者は、それぞれ管理責任が相違するため、各人にとって重要な情報はそれぞれ異なるが、最上流の工程および最下流工程の現状は、上述の観点から管理者が共有すべき重要な情報である。第３実施例の管理システムでは、管理者がこの重要な情報を、リアルタイムで正確に共有できる。従って、生産管理を円滑に行うことができる。
【００８１】
第３実施例では、中間工程の重要情報である組立状況を併せて表示する。中間工程の情報は、状況に応じた生産計画の変更に活用することができる。第３実施例では、３つの情報を工程順に並列で表示するため、全体の状況を把握しやすい利点もある。
【００８２】
Ｃ１．変形例  情報共有の変形例：
第３実施例では、管理部門ＳＲの表示のみを説明したが、管理情報の表示装置を生産現場に設けても差し支えない。図１３は第３実施例における変形例としての管理システムの概略構成を示す説明図である。図示する通り、部品倉庫、組立ライン、完成品倉庫内にそれぞれ液晶プロジェクタＰＲＪ５１，ＰＲＪ５２，ＰＲＪ５３とスクリーンＳＣＲ５１，ＳＣＲ５２，ＳＣＲ５３とが設けられている。各液晶プロジェクタＰＲＪ５１，ＰＲＪ５２，ＰＲＪ５３は、コンピュータＰＣ２１，ＰＣ２２，ＰＣ２３からの出力信号に応じて、部品在庫状況、組立状況、出荷状況を各エリアで表示する。これらの情報は第３実施例と同様、管理部門ＳＲでも表示される。
【００８３】
生産現場の各エリアの表示は、管理部門ＳＲでの表示内容（図１０〜図１２）と同じものとしてもよいが、異なるものとしてもよい。生産現場では、その作業に適した態様で情報を表示し、管理部門ＳＲでは管理に適した態様で情報を表示することが好ましい。部品倉庫を例にとって説明する。
【００８４】
図１４は部品倉庫における表示内容を例示する説明図である。部品倉庫では、外部からの部品の調達に有用な情報が、「部品発注」と「納品状況」に分けて情報が表示される。「部品発注」としては、機種名、部品番号、部品名、供給会社、要求日、要求時間、納品予定が表示される。「納品状況」としては、機種名、部品番号、部品名、供給会社、納品予定、納品日、納品時間が表示される。「納品日」、「納品時間」は、実際に部品が納品された日時を示す。その他の項目は、図１０と同じ意味である。表示内容および形式は、これらに限らず管理目的に応じて任意に設定可能である。
【００８５】
部品倉庫では、外部からの部品の調達を円滑かつ確実に行うために、こうした詳細な発注、納品状況の表示が有効である。これに対し、管理部門では、部品の不足など全体の生産性に影響を与える情報を漏れなく、かつ遅滞なく把握することが重要である。過度に詳細な情報を表示すると、こうした重大な情報を見落とす一因となることがある。かかる観点から、管理部門ＳＲでは、部品倉庫の状況として、不足部品のみを表示するものとした（図１０参照）。部品倉庫でコンピュータＰＣ２１には、図１４の詳細表示に必要な情報が入力されるが、管理部門ＳＲでは、これらの情報から部品の不足を表す情報のみがピックアップして表示される。
【００８６】
組立エリア、完成品倉庫においても同様に、生産現場と管理部門ＳＲとで表示内容を変えることができる。例えば、組立エリアでは、組立ラインごとまたは工程ごとに生産状況を表示し、管理部門ＳＲでは、組立エリア全体の生産状況（図１１参照）を表示するものとしてもよい。完成品倉庫では、出荷作業の詳細情報（図１２参照）を表示し、管理部門ＳＲでは「未出荷」、「出荷作業中」、「出荷済み」の３段階程度で状況を簡易表示するものとしてもよい。もちろん、必ずしも生産現場と管理部門ＳＲの表示を変える必要はなく、共通の表示を用いても良い。特に、製品の出荷は生産を管理する上で最も重要な事項であるから、出荷状況については生産現場と同じ詳細情報を管理部門でも表示する有効性が高い。
【００８７】
変形例のシステムによれば、生産現場の各エリアで大型表示装置による表示を活用して、作業の円滑化、効率化を図りつつ、必要な情報を管理部門ＳＲでも共有することができる。ネットワークを利用した情報伝達および液晶プロジェクタを用いた表示を行うことにより、入力された情報を各エリアに応じた態様に加工して表示することができ、情報をより有効に共有することができる。
【００８８】
変形例では、生産現場の３つのエリアの情報を管理部門ＳＲに表示する場合を例示したが、一部のエリアの情報のみを表示するものとしても構わない。
【００８９】
Ｄ．第４実施例  上流工程への情報提供例：
図１５は第４実施例としての管理システムの構成を示す説明図である。第３実施例と同様、工場の生産現場への適用例を示す。第３実施例（図９参照）および変形例（図１３参照）では、生産現場の状況を管理部門が把握する場合を例示した。第４実施例では、生産現場の各エリア間での情報の共有を図る場合を例示する。
【００９０】
第４実施例の管理システムは、部品倉庫、組立ライン、完成品倉庫の各エリアに設けられたコンピュータＰＣ２１，ＰＣ２２，ＰＣ２３、液晶プロジェクタＰＲＪ５１，ＰＲＪ５２，ＰＲＪ５３およびスクリーンＳＣＲ５１，ＳＣＲ５２，ＳＣＲ５３から構成される。各コンピュータＰＣ２１，ＰＣ２２，ＰＣ２３はネットワークＮＥに接続されており、情報の伝達が可能である。各コンピュータＰＣ２１，ＰＣ２２，ＰＣ２３は管理部門その他のエリアと情報の伝達可能にしてもよい。
【００９１】
コンピュータＰＣ２１，ＰＣ２２，ＰＣ２３には、各エリアの作業状況が入力される。入力される情報は、第３実施例および変形例と同様である。第４実施例では、最下流の完成品倉庫における出荷状況がネットワークを介して上流工程に相当する部品倉庫、組立ラインに伝達される。
【００９２】
入力された各情報は、液晶プロジェクタＰＲＪ５１，ＰＲＪ５２，ＰＲＪ５３により、それぞれスクリーンＳＣＲ５１，ＳＣＲ５２，ＳＣＲ５３に表示される。図１５の左側には、各エリアでの表示状況を模式的に示した。完成品倉庫では、出荷状況がスクリーンＳＣＲ５３に表示される。表示画面は、第３実施例における出荷状況（図１２参照）と同様である。
【００９３】
組立ラインおよび部品倉庫では、出荷状況がインポーズされた状態で組立状況および部品在庫状況が、それぞれスクリーンＳＣＲ５２，ＳＣＲ５１に表示される。図１５中のハッチングの部分が出荷状況の表示部分である。本実施例では、この部分にスクリーンＳＣＲ５３の内容を縮小表示するものとした。組立状況、部品在庫状況は、それぞれ第３実施例（図１０、図１１）および変形例（図１４）と同様の表示を適用できる。
【００９４】
第４実施例の管理システムによれば、第３実施例と同様、生産現場の各エリアで大型表示装置による表示を活用して、作業の円滑化、効率化を図ることができる。さらに、下流工程である出荷状況を上流工程の各エリアに表示することにより、部品倉庫、組立ラインの各エリアで出荷状況を容易に把握することができる。従って、出荷状況に応じて自律的かつ柔軟に対応することが可能となる。例えば出荷が計画よりも滞っている場合など、生産計画の変更が予想される場合には、管理部門からの指示を予測して予め準備しておくことができる。また、生産計画の変更が指示された場合でも、混乱なく迅速に対応することができる。この結果、工場全体の生産の柔軟性を向上することができる。
【００９５】
第４実施例において、表示態様は種々の変形例が可能である。例えば、組立ライン、部品倉庫に出荷状況を表示する専用の液晶プロジェクタを別途用意してもよい。各エリアの表示内容と出荷状況とを時分割して交互に表示してもよい。組立ライン、部品倉庫に表示される出荷状況は、完成品倉庫で表示される出荷状況と異なる態様であっても構わない。例えば、出荷状況の一部の情報を簡略化して表示してもよい。組立ラインでの組立状況を部品倉庫に表示するものとしてもよい。出荷状況は、組立ライン、部品倉庫以外の上流工程に表示してもよい。情報の共有化による利益がある場合には、上流工程の状況を下流工程に表示させてもよい。例えば、部品倉庫における部品在庫状況を組立ラインに表示するものとしてもよい。
【００９６】
以上、本発明の実施の形態について説明したが、本発明はこうした実施の形態に何等限定されるものではなく、本発明の要旨を逸脱しない範囲内において、更に種々なる形態で実施し得ることは勿論である。例えば、実施例では、液晶プロジェクタを用いた大型表示を例示した。表示は、この他、電光表示板、ディスプレイ、その他の装置を適用可能である。光を利用して情報を表示する装置のみならず多数の表示板を機械的に駆動して表示内容を切り替えるディジタル表示板を適用してもよい。
【図面の簡単な説明】
【００９７】
【図１】第１実施例としての管理システムの構成を示す説明図である。
【図２】液晶プロジェクタによる表示画面の内容を例示する説明図である。
【図３】倉庫内への搬入工程の工程図である。
【図４】保管庫からの搬出工程の工程図である。
【図５】第１変形例としての管理システムの構成を示す説明図である。
【図６】第２変形例としての管理システムの構成を示す説明図である。
【図７】第２実施例としての管理システムの構成を示す説明図である。
【図８】第２実施例における表示内容を示す説明図である。
【図９】第３実施例としての管理システムの構成を示す説明図である。
【図１０】部品在庫状況の表示内容を示す説明図である。
【図１１】組立状況の表示内容を示す説明図である。
【図１２】出荷状況の表示内容を示す説明図である。
【図１３】第３実施例における変形例としての管理システムの概略構成を示す説明図である。
【図１４】部品倉庫における表示内容を例示する説明図である。
【図１５】第４実施例としての管理システムの構成を示す説明図である。
【符号の説明】
【００９８】
ＰＣ、ＰＣ１、ＰＣ２...コンピュータ
ＰＲＪ、ＰＲＪ１、ＰＲＪ２...液晶プロジェクタ
ＳＣＲ、ＳＣＲ１、ＳＣＲ２...スクリーン
Ａ１...部品倉庫
Ａ２...組立エリア
ＰＣ１０、ＰＣ１１...コンピュータ
ＰＲＪ１０、ＰＲＪ１１...液晶プロジェクタ
ＳＣＲ１０、ＳＣＲ１１...スクリーン
ＡＧＶ...無人搬送車
Ａ１１...部品倉庫
Ａ１２...組立ライン
Ａ１３...完成品倉庫
ＰＣ３１、ＰＣ３２、ＰＣ３３...コンピュータ
ＰＲＪ３１、ＰＲＪ３２、ＰＲＪ３３...液晶プロジェクタ
ＳＣＲ３１、ＳＣＲ３２、ＳＣＲ３３...スクリーン
ＳＲ...管理部門
ＮＥ...ローカル・エリア・ネットワーク
ＳＶ...サーバ
ＩＮＴ...インターネット
ＰＣ４１...コンピュータ
ＰＲＪ５１、ＰＲＪ５２、ＰＲＪ５３...液晶プロジェクタ
ＳＣＲ５１、ＳＣＲ５２、ＳＣＲ５３...スクリーン
【図１】
2004234681.tif 000003
【図２】
2004234681.tif 000004
【図３】
2004234681.tif 000005
【図４】
2004234681.tif 000006
【図５】
2004234681.tif 000007
【図６】
2004234681.tif 000008
【図７】
2004234681.tif 000009
【図８】
2004234681.tif 000010
【図９】
2004234681.tif 000011
【図１０】
2004234681.tif 000012
【図１１】
2004234681.tif 000013
【図１２】
2004234681.tif 000014
【図１３】
2004234681.tif 000015
【図１４】
2004234681.tif 000016
【図１５】
2004234681.tif 000017